【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
モータと、前記モータにより回転駆動される装置本体側ギアであって、その回転中心軸線上にねじれていない連結穴を有する装置本体側ギアを備えた電子写真画像形成装置本体に着脱可能なプロセスカートリッジであって、
電子写真感光体ドラムと、
前記電子写真感光体ドラムに作用するプロセス手段と、
前記連結穴と嵌合可能なねじれていない連結突起であって、
前記電子写真感光体ドラムの長手方向の端部に設けられた連結突起と、
を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けることを特徴とするプロセスカートリッジ。
【請求項２】
モータと、前記モータにより回転駆動される装置本体側ギアであって、その回転中心軸線上にねじれていない連結突起を有する装置本体側ギアを備えた電子写真画像形成装置本体に着脱可能なプロセスカートリッジであって、
電子写真感光体ドラムと、
前記電子写真感光体ドラムに作用するプロセス手段と、
前記連結突起と嵌合可能なねじれていない連結穴であって、
前記電子写真感光体ドラムの長手方向の端部に設けられた連結穴と、
を備えており、
前記装置本体側ギアが前記連結突起と連結穴が嵌合して回転した際、前記連結突起と嵌合した前記連結穴を介して前記装置本体から前記電子写真感光体ドラムが回転駆動力を受けることを特徴とするプロセスカートリッジ。
【請求項３】
モータと、前記モータからの駆動力を受ける回転体と、前記回転体の回転中心と同一中心で非円形断面を持つねじれていない連結穴又はねじれていない連結突起とを備えて記録媒体に画像を形成する電子写真画像形成装置に着脱可能なプロセスカートリッジにおいて、
像担持体として回転可能な電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられたねじれていない連結突起又はねじれていない連結穴と、を有し、
そして、前記電子写真感光体ドラムの前記連結突起又は連結穴は前記回転体の前記連結穴又は連結突起に対して連結突起と連結穴間に相対回転運動が許容される第１の相対回転位置と、その回転方向には相対回転運動が妨げられる第２の相対回転位置と、をとることができる寸法と形状を有し、回転駆動力の伝達時に回転体の回転中心と電子写真感光体ドラムの回転中心は実質的に調芯されることを特徴とするプロセスカートリッジ。
【請求項４】
前記プロセスカートリッジの連結突起の形状は実質的に三角柱である請求項１又は３に記載のプロセスカートリッジ。
【請求項５】
前記三角柱は実質的に正三角柱である、ここで、前記正三角柱の角部分は面取り形状である請求項４に記載のプロセスカートリッジ。
【請求項６】
更に、前記電子写真感光体ドラムの一端にはドラムフランジが設けられている、ここで、前記ドラムフランジには、カートリッジフレームに前記電子写真感光体ドラムを回転可能に支持するための軸と、前記軸の先端には前記連結突起が設けられている、そして、前記ドラムフランジはプラスチック製の一体成形物である請求項１又は３に記載のプロセスカートリッジ。
【請求項７】
更に、カートリッジフレームには、前記連結突起の全外周面にわたって円形の外壁が設けられている、あるいは前記連結突起の外周面の一部分に沿って円弧形状の外壁が設けられている、ここで、前記プロセスカートリッジが装置本体に装着された際に、前記外壁は装置本体に設けられた凹部に係合する請求項１又は３に記載のプロセスカートリッジ。
【請求項８】
前記連結穴は断面の形状が実質的に三角形である請求項１に記載のプロセスカートリッジ。
【請求項９】
前記三角形は実質的に正三角形である請求項８に記載のプロセスカートリッジ。
【請求項１０】
前記プロセスカートリッジは、前記電子写真感光体ドラムと、前記プロセス手段としての少なくとも前記電子写真感光体ドラムに形成された潜像を現像するための現像手段、前記電子写真感光体ドラムに帯電するための帯電手段、前記電子写真感光体ドラムに残留するトナーを除去するためのクリーニング手段のいずれか一つを一体的にユニット化して、装置本体に対して着脱可能である請求項１から３の何れか１つに記載のプロセスカートリッジ。
【請求項１１】
更に、カートリッジフレームには、前記連結穴の全外周面にわたって円形の外壁が設けられている、あるいは、前記連結穴の外周面の一部分に沿って円弧形状の外壁が設けられている、ここで、前記プロセスカートリッジが装置本体に装着された際に、前記外壁は装置本体に設けられた凹部に係合する請求項２に記載のプロセスカートリッジ。
【請求項１２】
装置本体側ギアに設けられた前記連結突起は断面の形状が実質的に三角形である請求項２に記載のプロセスカートリッジ。
【請求項１３】
装置本体側ギアに設けられた前記連結穴又は連結突起は断面の形状が実質的に三角形である請求項３に記載のプロセスカートリッジ。
【請求項１４】
更に前記プロセスカートリッジは、前記プロセスカートリッジが装置本体に装着された際に、前記プロセスカートリッジを前記電子写真感光体ドラムの長手方向へ付勢するための弾性部材を有する請求項１又は２もしくは３の何れか一つに記載のプロセスカートリッジ。
【請求項１５】
プロセスカートリッジを着脱可能であって、記録媒体に画像を形成するための電子写真画像形成装置において、
（ａ）モータと、
（ｂ）前記モータにより回転駆動される装置本体側ギアと、
（ｃ）前記ギアと同一中心軸線上にあるねじれていない連結穴と、
（ｄ）電子写真感光体ドラムと、
前記電子写真感光体ドラムに作用するプロセス手段と、
前記連結穴と嵌合可能なねじれていない連結突起であって、
前記電子写真感光体ドラムの長手方向の端部に設けられた連結突起と、
を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けるプロセスカートリッジを取り外し可能に装着するための装着手段と、
（ｅ）前記記録媒体を搬送するための搬送手段と、
を有することを特徴とする電子写真画像形成装置。
【請求項１６】
プロセスカートリッジを着脱可能であって、記録媒体に画像を形成するための電子写真画像形成装置において、
（ａ）モータと、
（ｂ）前記モータにより回転駆動される装置本体側ギアと、
（ｃ）前記ギアと同一中心軸線上にあるねじれていない連結突起と、
（ｄ）電子写真感光体ドラムと、
前記電子写真感光体ドラムに作用するプロセス手段と、
前記連結突起と嵌合可能なねじれていない連結穴であって、
前記電子写真感光体ドラムの長手方向の端部に設けられた連結穴と、
を備えており、
前記装置本体側ギアが前記連結突起と連結穴が嵌合して回転した際、前記連結突起と嵌合した前記連結穴を介して前記装置本体から前記電子写真感光体ドラムが回転駆動力を受けるプロセスカートリッジを取り外し可能に装着するための装着手段と、
（ｅ）前記記録媒体を搬送するための搬送手段と、
を有することを特徴とする電子写真画像形成装置。
【請求項１７】
更に、前記装置本体には、装置本体に装着されたプロセスカートリッジを、前記電子写真感光体ドラムの長手方向へ付勢するための弾性部材を有する請求項１５又は１６に記載の電子写真画像形成装置。
【手続補正２】
【補正対象書類名】明細書
【補正対象項目名】００１２
【補正方法】変更
【補正の内容】
【００１２】
本出願に係る第２の発明はモータと、前記モータにより回転駆動される装置本体側ギアであって、その回転中心軸線上にねじれていない連結突起を有する装置本体側ギアを備えた電子写真画像形成装置本体に着脱可能なプロセスカートリッジであって、
電子写真感光体ドラムと、
前記電子写真感光体ドラムに作用するプロセス手段と、
前記連結突起と嵌合可能なねじれていない連結穴であって、
前記電子写真感光体ドラムの長手方向の端部に設けられた連結穴と、
を備えており、
前記装置本体側ギアが前記連結突起と連結穴が嵌合して回転した際、前記連結突起と嵌合した前記連結穴を介して前記装置本体から前記電子写真感光体ドラムが回転駆動力を受けることを特徴とするプロセスカートリッジである。
【手続補正３】
【補正対象書類名】明細書
【補正対象項目名】００１３
【補正方法】変更
【補正の内容】
【００１３】
本出願に係る第３の発明はモータと、前記モータからの駆動力を受ける回転体と、前記回転体の回転中心と同一中心で非円形断面を持つねじれていない連結穴又はねじれていない連結突起とを備えて記録媒体に画像を形成する電子写真画像形成装置に着脱可能なプロセスカートリッジにおいて、
像担持体として回転可能な電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられたねじれていない連結突起又はねじれていない連結穴と、を有し、
そして、前記電子写真感光体ドラムの前記連結突起又は連結穴は前記回転体の前記連結穴又は連結突起に対して連結突起と連結穴間に相対回転運動が許容される第１の相対回転位置と、その回転方向には相対回転運動が妨げられる第２の相対回転位置と、をとることができる寸法と形状を有し、回転駆動力の伝達時に回転体の回転中心と電子写真感光体ドラムの回転中心は実質的に調芯されることを特徴とするプロセスカートリッジである。
【手続補正４】
【補正対象書類名】明細書
【補正対象項目名】００１４
【補正方法】変更
【補正の内容】
【００１４】
本出願に係る第１５の発明はプロセスカートリッジを着脱可能であって、記録媒体に画像を形成するための電子写真画像形成装置において、
（ａ）モータと、
（ｂ）前記モータにより回転駆動される装置本体側ギアと、
（ｃ）前記ギアと同一中心軸線上にあるねじれていない連結穴と、
（ｄ）電子写真感光体ドラムと、
前記電子写真感光体ドラムに作用するプロセス手段と、
前記連結穴と嵌合可能なねじれていない連結突起であって、
前記電子写真感光体ドラムの長手方向の端部に設けられた連結突起と、
を備えており、
前記装置本体側ギアが前記連結穴と連結突起が嵌合して回転した際、前記連結穴と嵌合した前記連結突起を介して前記装置本体から前記電子写真感光体ドラムが回転駆動力を受けるプロセスカートリッジを取り外し可能に装着するための装着手段と、
（ｅ）前記記録媒体を搬送するための搬送手段と、
を有することを特徴とする電子写真画像形成装置である。
【手続補正５】
【補正対象書類名】明細書
【補正対象項目名】００１５
【補正方法】変更
【補正の内容】
【００１５】
本出願に係る第１６の発明はプロセスカートリッジを着脱可能であって、記録媒体に画像を形成するための電子写真画像形成装置において、
（ａ）モータと、
（ｂ）前記モータにより回転駆動される装置本体ギアと、
（ｃ）前記ギアと同一中心軸線上にあるねじれていない連結突起と、
（ｄ）電子写真感光体ドラムと、
前記電子写真感光体ドラムに作用するプロセス手段と、
前記連結突起と嵌合可能なねじれていない連結穴であって、
前記電子写真感光体ドラムの長手方向の端部に設けられた穴と、
を備えており、
前記装置本体側ギアが前記連結突起と連結穴が嵌合して回転した際、前記連結突起と嵌合した前記連結穴を介して前記装置本体から前記電子写真感光体ドラムが回転駆動力を受けるプロセスカートリッジを取り外し可能に装着するための装着手段と、
（ｅ）前記記録媒体を搬送するための搬送手段と、
を有することを特徴とする電子写真画像形成装置である。